(57)【要約】【課題】ロール状の被記録材が幅方向に伸びた場合であっても、被記録材の幅方向の端部を損傷させることなく、ロール状の被記録材を画像記録装置に装着するときの取り扱い性を向上する。【解決手段】ロール保持部材５は、ロールシート１０１の幅方向の端面をガイドするガイド面１２ａを有し、ガイド面１２ａが、端面に当接する第一の位置と、端面から離間する第二の位置とに移動可能に設けられ、ロールシート１０１の幅方向の両端がロール保持部材５に保持されたときに、ロールシート１０１の幅方向の両端で共にガイド面１２ａが第一の位置に移動する。ロール保持部材５に保持されたロールシート１０１が画像記録装置に装着されたときに、一方のロール保持部材５のガイド面１２ａが第二の位置に移動し、他方のロール保持部材５のガイド面１２ａが第一の位置に保たれる。【選択図】図１０
2013112447.tif 000002
【特許請求の範囲】
【請求項１】
ロール状の被記録材の長手方向に直交する幅方向の両端の各々を保持する一対のロール保持部材と、前記一対のロール保持部材を回転自在に支持する一対の支持軸と、を備え、搬送手段によって搬送された前記被記録材に記録を行う画像記録装置であって、
前記ロール保持部材は、前記ロール状の被記録材の前記幅方向の端面をガイドするガイド面を有し、前記ガイド面が、前記端面に当接する第一の位置と、前記端面から離間する第二の位置とに移動可能に設けられ、前記ロール状の被記録材の前記幅方向の両端が前記ロール保持部材に保持されたときに、前記ロール状の被記録材の前記幅方向の両端で共に前記ガイド面が前記第一の位置に移動し、
前記ロール保持部材に保持された前記ロール状の被記録材が前記画像記録装置に装着されたときに、一方の前記ロール保持部材の前記ガイド面が前記第二の位置に移動し、他方の前記ロール保持部材の前記ガイド面が前記第一の位置に保たれることを特徴とする画像記録装置。
【請求項２】
ロール状の被記録材の長手方向に直交する幅方向の両端の各々を保持する一対のロール保持部材と、前記一対のロール保持部材を回転自在に支持する一対の支持軸と、を備え、搬送手段によって搬送された前記被記録材に記録を行う画像記録装置であって、
前記ロール保持部材は、前記ロール状の被記録材の前記幅方向の端面をガイドするガイド面を有し、前記ガイド面が、前記端面に当接する第一の位置と、前記端面から離間する第二の位置とに移動可能に設けられ、前記ロール状の被記録材の前記幅方向の両端が前記ロール保持部材に保持されたときに、前記ロール状の被記録材の前記幅方向の両端で共に前記ガイド面が前記第一の位置に移動し、
前記ロール保持部材に保持された前記ロール状の被記録材が前記画像記録装置に装着されたときに、前記ロール状の被記録材の前記幅方向の両端で共に前記ガイド面が前記第二の位置に移動することを特徴とする画像記録装置。
【請求項３】
前記ロール保持部材に保持された前記ロール状の被記録材が、前記画像記録装置から取り外されたときに、前記第二の位置にある前記ガイド面が、前記第二の位置に保たれる、請求項１または２に記載の画像記録装置。
【請求項４】
前記一対の支持軸は、前記ロール状の被記録材を保持する前記一対のロール保持部材に対して、前記幅方向の両側からそれぞれ差し込まれ、
前記ロール保持部材は、前記一対の支持軸の径の違いに応じて、前記ガイド面が、前記第一の位置と前記第二の位置のいずれかに移動するように構成されている、請求項１ないし３のいずれか１項に記載の画像記録装置。
【請求項５】
前記一対の支持軸は、前記ロール状の被記録材を保持する前記一対のロール保持部材に対して、前記幅方向の両側からそれぞれ差し込まれ、
前記ロール保持部材は、前記一対の支持軸の長さの違いに応じて、前記ガイド面が、前記第一の位置と前記第二の位置のいずれかに移動するように構成されている、請求項１ないし３のいずれか１項に記載の画像記録装置。
【請求項６】
前記ロール保持部材を前記ロール状の被記録材から取り外したときに、前記第二の位置にある前記ガイド面が、前記第一の位置に移動するように構成されている、請求項１ないし５のいずれか１項に記載の画像記録装置。
【請求項７】
前記ロール保持部材は、前記ロール状の被記録材に対する前記ロール保持部材の固定と、該固定の解除とを行うためのレバーを備え、
前記固定を解除する前記レバーの動作に連動して、前記第二の位置にある前記ガイド面が、前記第一の位置に移動する、請求項６に記載の画像記録装置。
【発明の詳細な説明】
【技術分野】
【０００１】
本発明は、ロール状の被記録材を保持するロール保持部材を備える画像記録装置に関する。
【背景技術】
【０００２】
従来、プリンタ、複写機、ファクシミリ等の画像記録装置では、給紙部から被記録材が供給され、画像データに基づいて記録ヘッドによって被記録材に画像を記録するように構成されている。被記録材としては、ロール状の被記録材、カット状の被記録材、プラスチックシートなどの被記録材が一般的に使用されている。特に、大きなサイズの被記録材を扱う画像記録装置では、いわゆるロールシートを用いるものが多い。
【０００３】
従来の技術では、フランジ状のガイド部材が固定されたパイプ軸と、パイプ軸が挿通される軸穴を有するフランジ状のガイド部材とを備えるスプールユニットによって、給紙部に、ロールシートが回転可能に保持されている。ロール状の被記録材の芯である中空の紙管に、パイプ軸を差し込み、パイプ軸に設けられたガイド部材がロールシートの紙管を保持することによって、ロールシートの長手方向に直交する幅方向（軸方向）の一方の端面が、ガイド部材によってガイドされる。続いて、ロールシートの幅方向の他方の端面側から、軸穴を有するガイド部材の軸穴にパイプ軸を通し、ガイド部材によってロールシートの紙管を保持する。これによって、ロールシートの幅方向の両側の端面の各々がガイド部材によって保持される。
【０００４】
パイプ軸に固定されたガイド部材は、基準側に配されており、ロールシートの端面に当接してロールシートをガイドする。これによって、ロールシートの位置決めを行うと共に、ロールシートの巻き状態が、幅方向に竹の子状に伸びて解けることを防止している。パイプ軸が挿通される軸穴を有するガイド部材は、非基準側に配されており、ガイド部材とロールシートの端面とが離間するように構成されている。これによって、ロールシートの幅方向に対する幅が、温度や湿度などによって増大した場合に、増大したロールシートの逃げ場がなくなり、ロールシートが損傷することが防止されている。特に、ロールシートの巻き径方向の外周側において、温度や湿度などの影響を受けやすく、ロールシートの幅が増大しやすい。
【０００５】
また、ガイド部材とロールシートの端面との当接、離間を切り替える構成を有するものも開示されている（特許文献１参照）。この構成では、ロールシートを画像記録装置に装着する前、ガイド部材とロールシートの端面とが当接されており、ロールシートを画像記録装置に装着したときに、ガイド部材とロールシートの端面とが離間される。
【先行技術文献】
【特許文献】
【０００６】
【特許文献１】特開２００９−８３９６４号公報
【発明の概要】
【発明が解決しようとする課題】
【０００７】
しかしながら、近年、幅寸法が大きなロールシートの紙管に、幅方向に沿って長いパイプ軸を通す作業が手間になっており、ロールシートの両端にガイド部材のみを取り付けるようなパイプ軸を有していない構成が求められている。パイプ軸を有していない、一対のガイド部材のみからなる構成の場合、基準側のガイド部材と非基準側のガイド部材の構成が異なると、ユーザーがガイド部材の取り付けを間違えて、各ガイド部材を基準側と非基準側とで反対に取り付けてしまう可能性がある。そのため、基準側のガイド部材と非基準側のガイド部材とを構成を共通化することが求められている。
【０００８】
また、ガイド部材のガイド面とロールシートの端面との当接、離間を切り替える構成では、画像記録装置のシート装着部からロールシートを取り出したときに、離間していたガイド面とロールシートの端面とが当接することになる。このため、巻き状態が解けて幅方向に伸びたロールシートは、ガイド部材によって損傷してしまう可能性がある。
【０００９】
そこで、本発明は、上記のような課題に鑑みてなされたものであり、巻き状態が解けて幅方向に伸びた場合であってもロール状の被記録材の端部を損傷させることなく、取り扱いが容易なロール保持部材を備えた画像記録装置を提供することを目的とする。
【課題を解決するための手段】
【００１０】
上述した目的を達成するため、本発明に係る画像記録装置は、ロール状の被記録材の長手方向に直交する幅方向の両端の各々を保持する一対のロール保持部材と、一対のロール保持部材を回転自在に支持する一対の支持軸と、を備え、搬送手段によって搬送された被記録材に記録を行う画像記録装置である。ロール保持部材は、ロール状の被記録材の幅方向の端面をガイドするガイド面を有し、ガイド面が、端面に当接する第一の位置と、端面から離間する第二の位置とに移動可能に設けられ、ロール状の被記録材の幅方向の両端がロール保持部材に保持されたときに、ロール状の被記録材の幅方向の両端で共にガイド面が第一の位置に移動する。ロール保持部材に保持されたロール状の被記録材が画像記録装置に装着されたときに、一方のロール保持部材のガイド面が第二の位置に移動し、他方のロール保持部材のガイド面が第一の位置に保たれることを特徴とする。
【００１１】
また、本発明に係る他の画像記録装置は、ロール状の被記録材の長手方向に直交する幅方向の両端の各々を保持する一対のロール保持部材と、一対のロール保持部材を回転自在に支持する一対の支持軸と、を備え、搬送手段によって搬送された被記録材に記録を行う画像記録装置である。ロール保持部材は、ロール状の被記録材の幅方向の端面をガイドするガイド面を有し、ガイド面が、端面に当接する第一の位置と、端面から離間する第二の位置とに移動可能に設けられ、ロール状の被記録材の幅方向の両端がロール保持部材に保持されたときに、ロール状の被記録材の幅方向の両端で共にガイド面が第一の位置に移動する。ロール保持部材に保持されたロール状の被記録材が画像記録装置に装着されたときに、ロール状の被記録材の幅方向の両端で共にガイド面が第二の位置に移動することを特徴とする。
【発明の効果】
【００１２】
本発明によれば、ロール状の被記録材の幅方向に沿って挿通させる軸を有していない、一対のロール保持部材のみでロール状の被記録材を保持することによって、ロール状の被記録材を画像記録装置に装着するときの取り扱い性を向上することができる。また、基準側のロール保持部材と非基準側のロール保持部材の構成を共通化することで、ロール状の被記録材に対するロール保持部材の取り付け間違いを防ぐことができる。
【図面の簡単な説明】
【００１３】
【図１】実施形態の画像記録装置の全体を示す断面図である。
【図２】実施形態の画像記録装置を示す斜視図である。
【図３】実施形態の画像記録装置において、図２に示すロールシートを取り外した状態を示す斜視図である。
【図４】ロールシートにロール保持部材を差し込む状態を示す斜視図である。
【図５】ロール保持部材をレバー側から示す斜視図である。
【図６】ロール保持部材を差込部材側から示す斜視図である。
【図７】ロール保持部材を示す断面図である。
【図８】紙管にロール保持部材を差し込んだ状態を示す断面図である。
【図９】紙管にロール保持部材が固定された状態を示す断面図である。
【図１０】ロール保持部材に基準支持軸が差し込まれた状態を示す断面図である。
【図１１】図１０に示したロールシートの軸回りに４５度回転させた断面を示す断面図である。
【図１２】ロール保持部材に非基準支持軸が差し込まれた状態を示す断面図である。
【図１３】紙管に対してロール保持部材が固定された状態を解除した状態を示す断面図である。
【発明を実施するための形態】
【００１４】
図１及び図２に示すように、本実施形態の画像記録装置１００はインクジェット方式のプリンタである。画像記録装置１００は、ロール状の被記録材としてのロールシート１０１に画像を記録する装置である。図１に示すように、画像記録装置１００は、その内部に、記録ヘッド１、搬送手段としての搬送機構２、プラテン３、給紙機構４、ロール保持部材５などを備えている。
【００１５】
ロールシート１０１は、同一形状に形成された一対のロール保持部材５によって、ロールシート１０１の長手方向に直交する幅方向（軸方向）の両端の各々が保持されており、給紙機構４によって回転自在に軸支される。ロールシート１０１は、搬送機構２によって記録ヘッド１へ向けて給送され、記録ヘッド１とロールシート１０１とのギャップを確保するプラテン３の上部で、記録ヘッド１によって画像が記録される。記録ヘッド１によって記録されたロールシート１０１は、画像記録装置１００から排出されて搬送される。
【００１６】
記録ヘッド１は、画像情報に基づいてロールシート１０１に画像を記録するものであり、インクジェット方式の場合は、画像情報に基づいて記録ヘッド１の複数の吐出口からロールシート１０１へインクを吐出して記録が行われる。また、ロールシート１０１の材質としては、紙、写真調印画紙、皮革などの、画像を記録できるものであれば、種々のものを使用することができる。
【００１７】
次に、図３に示す給紙機構４の構成について説明する。
【００１８】
給紙機構４は、搬送機構２の上流側に配されており、一対のロール保持部材５を回転自在に軸支する一対の固定支持部６及び可動支持部７と、可動支持部７を移動可能に支持するレール８と、を備えている。固定支持部６は、基準側の側面に対応して配されており、非基準側に向かって突出する基準支持軸９を有している。可動支持部７は、非基準側の側面側に可動自在に配されており、基準側に向かって突出する非基準支持軸１０を有している。基準支持軸９と非基準支持軸１０は、異なる軸形状に形成されており、基準支持軸９が、非基準支持軸１０よりも径が細くされている。なお、基準支持軸９の軸長を非基準支持軸１０の軸長よりも短くすることによっても、同様に対応できる。
【００１９】
ロール保持部材５に対して、ロールシート１０１の幅方向の両側から基準支持軸９、非基準支持軸１０が差し込まれることによって、ロール保持部材５を回転自在に軸支する。可動支持部７は、可動支持部７の下側に配されたレール８によってスライドが案内される。なお、可動支持部７は、レール８に沿ってスライド可能に設けられているので、可動支持部７の位置をレール８に沿って調整することで、ロールシート１０１の幅方向のサイズが異なる場合でも支持することができる。
【００２０】
次に、図４〜図７を参照して、ロール保持部材５の構成について説明する。
【００２１】
図４〜図６に示すように、ロール保持部材５は、ロールシート１０１の紙管１０２の両端の各々に取り付けられる。ロール保持部材５は、紙管１０２内に差し込まれる差込部材１１（段差部１１ａ）と、差込部材１１が差し込まれたロールシート１０１の幅方向の位置をガイドするガイド面１２ａを有するガイド部材１２と、を備えている。
【００２２】
ガイド部材１２は、ガイド面１２ａが、ロールシート１０１の幅方向の端面に当接する第一の位置と、端面から離間する第二の位置とに移動可能に設けられている。ガイド部材１２は、ロールシート１０１の幅方向の両端がロール保持部材５に保持されたときに、ガイド面１２ａが第一の位置に移動する。
【００２３】
また、ロール保持部材５の差込部材１１は、紙管１０２の内周面に当接する位置と、内周面から退避する位置とに切り替え可能な複数の当接部材１３を有している。当接部材１３を移動させることで、紙管１０２に対してロール保持部材５が固定された状態と、紙管１０２に対するロール保持部材５の固定を解除した状態とに切り替えをすることができる。このような固定状態と、固定の解除状態との切り替えは、ガイド部材１２に回転可能に設けられたレバー１４を操作することによって可能に構成されている。
【００２４】
図７に示すように、ロール保持部材５の内部には、ロール保持部材５とロールシート１０１の固定状態と、固定状態を解除した状態とに切り替えるための押込部材１５と、押込部材１５によって作動される突起部１６ａを有するくさび部材１６と、を備えている。押込部材１５は、ロール保持部材５を支持する基準支持軸９及び非基準支持軸１０が挿入される中空部１５ａを有しており、レバー１４の操作に連動してガイド部材１２に対する位置を変化させることが可能に設けられている。押込部材１５と、くさび部材１６との間には圧縮バネ１７が配されており、くさび部材１６は、押込部材１５の移動に連動して、変位することが可能にされている。
【００２５】
また、差込部材１１は、図６及び図７に示すように、外径が大きくされた段差部１１ａを有しており、ガイド部材１２と差込部材１１の間には、複数の引張バネ１８が配されている。ガイド部材１２に回転可能に設けられた複数の回転カム１９が回転することによって、ガイド部材１２のガイド面１２ａから段差部１１ａを突出させる位置に、ガイド部材１２を移動させることができる。
【００２６】
また、差込部材１１は、ガイド面１２ａから段差部１１ａを突出させる位置に、ガイド部材１２を維持するための複数の爪部１１ｂが設けられている。差込部材１１の爪部１１ｂが、ガイド部材１２に設けられた複数の爪穴部１２ｂに係合することで、ガイド面１２ａから段差部１１ａを突出させる位置にガイド部材１２が保たれる。また、押込部材１５には、爪部１１ｂが爪穴部１２ｂに係合した係合状態を解除するための複数のスライド部１５ｂが設けられている。
【００２７】
次に、図２、図８〜図１２を参照して、画像記録装置１００にロールシート１０１を装着する一連の動作を説明する。
【００２８】
図８に示すように、ロール保持部材５は、差込部材１１が、ロールシート１０１の紙管１０２に差し込まれる。このとき、レバー１４をガイド部材１２から離間させる方向へ移動させておく。押込部材１５は、ガイド部材１２の外側へ引っ張られて移動すると共に、くさび部材１６は、ガイド部材１２の外側へ引っ張られて移動し、突起部１６ａが当接部材１３から外れる。当接部材１３は、差込部材１１の外径よりも内側へ退避するので、差込部材１１を紙管１０２内に差し込むことが可能となる。差込部材１１が差し込まれたロールシート１０１は、ガイド面１２ａに接触して位置決めされる。これによって、ロールシート１０１のシートの安定した位置決めを行うと共に、ロールシート１０１の巻き状態が、幅方向に竹の子状に伸びて解けることが防止されている。
【００２９】
次に、図８に示す状態から、レバー１４を、ガイド部材１２に接近させる方向へ移動させる。これによって、図９に示すように、押込部材１５は、ガイド部材１２の内側に押し込まれて移動すると共に、くさび部材１６は、圧縮バネ１７の付勢力によってガイド部材１２の内側へ移動し、突起部１６ａが当接部材１３を径方向の外側へ押し出す。当接部材１３は、差込部材１１の外径から突出し、紙管１０２の内周面に当接するので、ロール保持部材５と紙管１０２を固定することができる。以上の取り付け操作をロールシート１０１の両端に対してそれぞれ行う。
【００３０】
次に、図２に示すように、ロール保持部材５に両端が保持されたロールシート１０１を給紙機構４に装着する。まず、レール８に沿ってスライド可能な可動支持部７を非基準側へ移動させることで、固定支持部６と可動支持部７との間に、ロール保持部材５に保持されたロールシート１０１が入る空間が確保される。これによって、ロールシート１０１は、固定支持部６と可動支持部７との間の空間のレール８の上に配置することができる。さらに、可動支持部７をレール８に沿って、非基準側から基準側へ移動させることで、可動支持部７をロールシート１０１と共に固定支持部６（基準側）へ押し付ける。
【００３１】
このとき、図１０及び図１１に示すように、非基準支持軸１０は、ロールシート１０１の非基準側に取り付けられた一方のロール保持部材５の中空部１５ａに差し込まれる。また、図１２に示すように、基準支持軸９は、基準側に取り付けられたロール保持部材５の中空部１５aに差し込まれることによって、一方のロール保持部材５が取り付けられたロールシート１０１を回転自在に支持する。
【００３２】
図１０に示すように、非基準支持軸１０が、ロールシート１０１の非基準側に取り付けられた一方のロール保持部材５の中空部１５ａに差し込まれたとき、非基準支持軸１０は、回転カム１９に接触して、回転カム１９を回転させる。回転カム１９が回転されることで、ガイド面１２ａから段差部１１ａを突出させる位置に、ガイド部材１２は移動する。これによって、ガイド面１２ａは、ロールシート１０１の端面から離間１０３することができる。このため、ロールシート１０１の幅寸法が、温度や湿度などの影響によって増大した場合であっても、幅方向に伸びたロールシート１０１の逃げ場がないことに起因するロールシート１０１の幅方向の端部の損傷を防止することができる。
【００３３】
このとき、図１１に示すように、爪部１１ｂは、爪穴部１２ｂに係合し、ガイド面１２ａとロールシート１０１の端面との離間１０３を維持している。
【００３４】
また、図１２に示すように、基準支持軸９が、ロールシート１０１の基準側に取り付けられた他方のロール保持部材５の中空部１５ａに差し込まれたとき、基準支持軸９は回転カム１９に接触しない。このため、ガイド面１２ａは、ロールシート１０１の端面に当接されたままの状態で第一の位置に保たれる。これによって、他方のロール保持部材５によって、ロールシート１０１の基準側の端面の位置を安定して保持することができる。
【００３５】
以上の操作によって、画像記録装置１００にロールシート１０１を装着することができる。本実施形態は、ロール保持部材５に保持されたロールシート１０１が画像記録装置１００に装着されたときに、一方のロール保持部材５のガイド面１２ａが第二の位置に移動し、他方のロール保持部材５のガイド面１２ａが第一の位置に保たれるように構成された。なお、必要に応じて、ロール保持部材５に保持されたロールシート１０１が画像記録装置１００に装着されたときに、ロールシート１０１の幅方向の両端で共にガイド面１２ａが第二の位置にそれぞれ移動するように構成されてもよい。この場合、ロールシートの両端部の損傷を防ぐことができる。
【００３６】
また、本実施形態では、ロール保持部材５が、一対の基準支持軸９と非基準支持軸１０の径の違いに応じて、ガイド面１２ａが、第一の位置と前記第二の位置のいずれかに移動するように構成された。なお、必要に応じて、ロール保持部材５が、一対の基準支持軸９と非基準支持軸１０の長さの違いに応じて、ガイド面１２ａが、第一の位置と第二の位置のいずれかに移動するように構成されてもよい。
【００３７】
次に、画像記録装置１００からロールシート１０１を取り外すときの一連の動作を説明する。
【００３８】
図２に示すように、一対のロール保持部材５が取り付けられたロールシート１０１が給紙機構４に装着された状態から、可動支持部７をレール８に沿って、非基準側へ移動させる。このとき、基準支持軸９と非基準支持軸１０は、ロール保持部材５の中空部１５ａから抜き取られて、ロール保持部材５が取り付けられたロールシート１０１が、給紙機構４から取り出せる位置まで、十分に移動させる必要がある。なお、可動支持部７の移動に連動して、基準支持軸９と非基準支持軸１０が中空部１５ａから抜けるように構成されてもよく、操作性を向上することができる。
【００３９】
次に、図２及び図１３に示すように、ロール保持部材５が取り付けられたロールシート１０１を、給紙機構４から取り外す。このとき、ロールシート１０１の非基準側に取り付けられた一方のロール保持部材５は、非基準支持軸１０が中空部１５ａから抜けたときであっても、爪部１１ｂが爪穴部１２ｂに係合されている。このため、回転カム１９に関係なく、ガイド面１２ａとロールシート１０１の端面との離間１０３が維持される（図１０、図１１）。これによって、ロール保持部材５が取り付けられたロールシート１０１を、給紙機構４から取り外した状態であっても、ガイド面１２ａとロールシート１０１の端面とが離間１０３された状態が維持される。このため、巻き状態が解けて幅方向に伸びたロールシート１０１の幅方向の端部が損傷することを防止することができる。
【００４０】
次に、レバー１４をガイド部材１２から離間させる方向へ移動させる。これによって、図１３に示すように、押込部材１５は、ガイド部材１２の外側へ引っ張られて移動すると共に、くさび部材１６をガイド部材１２の外側へ引っ張られて移動し、突起部１６ａが当接部材１３から外れる。当接部材１３は、差込部材１１の外径よりも内側へ退避するので、紙管１０２に対してロール保持部材５が固定された状態を解除することができる。これによって、ロールシート１０１からロール保持部材５を取り外すことができる。
【００４１】
また、レバー１４の動作に連動して、押込部材１５に設けられたスライド部１５ｂは、ガイド部材１２の外側に引っ張られて移動する。このとき、ロールシート１０１の非基準側に取り付けられた一方のロール保持部材５は、スライド部１５ｂが爪部１１ｂに接触し、爪部１１ｂと爪穴部１２ｂとの係合が外れるので、引張バネ１８の付勢力によって、段差部１１ａがガイド面１２ａの内側に入り込む。これによって、ロールシート１０１の端面にガイド面１２ａが突き当てられた第一の位置にガイド部材１２が移動し、ロール保持部材５によってロールシート１０１が保持される。
【００４２】
以上の取り外し操作によって、画像記録装置１００からロールシート１０１を取り外すことができる。
【００４３】
以上説明したように、本実施形態によれば、パイプ軸を有していない、一組のロール保持部材５を用いることによって、ロールシート１０１を画像記録装置１００に装着するための取り付け作業を容易に行うことができる。また、同一形状である一対のロール保持部材５を用いることによって、ロールシート１０１の幅方向の両側に対する取り付け時の取り扱いに差が無くなるので、ロール保持部材５の取り付け間違いを防ぐことができる。
【００４４】
また、ロール保持部材５は、非基準側のガイド面１２ａと、ロールシート１０１の端面とを離間させることで、幅方向に伸びたロールシート１０１の損傷を防止することができる。さらに、ロール保持部材５に保持されたロールシート１０１を画像記録装置１００から取り出したときも、ロールシート１０１の非基準側の端面がガイド面１２ａから離間された状態に保たれるので、幅方向に伸びたロールシート１０１の端部の損傷を防止できる。
【符号の説明】
【００４５】
１  記録ヘッド
２  搬送機構
４  給紙機構
５  ロール保持部材
６  固定支持部
７  可動支持部
９  基準支持軸
１０  非基準支持軸
１２  ガイド部材
１２ａ  ガイド面
１４  レバー
１００  画像記録装置
１０１  ロールシート
１０２  紙管
１０３  離間
【図１】
2013112447.tif 000003
【図２】
2013112447.tif 000004
【図３】
2013112447.tif 000005
【図４】
2013112447.tif 000006
【図５】
2013112447.tif 000007
【図６】
2013112447.tif 000008
【図７】
2013112447.tif 000009
【図８】
2013112447.tif 000010
【図９】
2013112447.tif 000011
【図１０】
2013112447.tif 000012
【図１１】
2013112447.tif 000013
【図１２】
2013112447.tif 000014
【図１３】
2013112447.tif 000015